(57)【要約】【課題】建物の周囲に鉄パイプ等で構築物を組立て施工することなく瓦屋根の周囲に安定した防護柵を組立て施工し得る瓦屋根塗装の防護柵施工方法及び防護柵部材を提供する。【解決手段】瓦屋根Ｒの軒Ｌと軒脇Ｍ，Ｎの瓦１１，１１ａ，１１ｂ，・・・上に、下端部に支持プレート１，１Ａ，１Ｂ，・・・を取付けた支柱２，２，２，・・・を、支持プレート１，１Ａ，１Ｂの先端部が前記瓦１１，１１ａ，１１ｂ，・・・と隣接する瓦との接合間１２，１２ａに挿入係止させて略鉛直に並設し、支柱２，２，２の上端部を連結棒３，３，３，・・・で連結して、該連結棒に飛散防止用の防護ネット４を吊掛けて、瓦屋根の周囲が包囲されるように防護柵を組立てる瓦屋根塗装の防護柵施工方法及び防護柵部材。【選択図】          図１
2004218351.tif 000002
【特許請求の範囲】
【請求項１】
瓦屋根の軒と軒脇の端部の瓦上に、下端部にＬ字状の支持プレートを取付けた支柱を略鉛直に並設して支柱と支柱の上端部を連結棒で連結し、該連結棒に飛散防止用の防護ネットを吊掛けて、瓦屋根の周囲を包囲するように防護柵を組立て施工することを特徴とする瓦屋根塗装の防護柵施工方法。
【請求項２】
支柱の下端部に短冊状の板材をＬ字状に曲げた支持プレートを取り付け、該Ｌ字状に曲げた支持プレートの先端部を、軒と軒脇の端部の瓦と隣接する瓦との接合間に挿入係止させて組立て施工することを特徴とする請求項１記載の瓦屋根塗装の防護柵施工方法。
【請求項３】
支柱の下端部の支持プレート取付部にフックを取付けて、該フックを軒と軒脇の端部の瓦縁部に引掛けて組立て施工することを特徴とする請求項１又は請求項２記載の瓦屋根塗装の防護柵施工方法。
【請求項４】
上端部に連結棒を連結するための継手を設けた支柱の下端部に、短冊状の板材をＬ字状に曲げた支持プレートを取付け、該支持プレートの先端部が瓦と瓦の接合間に挿入係止されるように形成されてなることを特徴とする瓦屋根塗装の防護柵部材。
【請求項５】
Ｌ字状に曲げた支持プレートの支柱取付部が、屋根勾配の傾斜に応じて形成され、支柱が瓦屋根上に略鉛直に支持されるように取付けられてなることを特徴とする請求項４記載の瓦屋根塗装の防護柵部材。
【請求項６】
支持プレートに直角にクロスさせて、先端部を瓦と瓦の接合間に挿入係止させる係止プレートが付着されてなることを特徴とする請求項４又は請求項５記載の瓦屋根塗装の防護柵部材。
【請求項７】
支持プレート又は係止プレートに補強部材が付着されてなることを特徴とする請求項４乃至請求項６のいずれか１項に記載の瓦屋根塗装の防護柵部材。
【請求項８】
支柱の下端部の支持プレート取付部に、軒と軒脇の端部の瓦縁部に引掛けるためのフックが付設されてなることを特徴とする請求項４乃至請求項７のいずれか１項に記載の瓦屋根塗装の防護柵部材。
【発明の詳細な説明】
【０００１】
【発明の属する技術分野】
本発明は、瓦屋根の塗装を行うのに瓦屋根の周囲を包囲するように防護柵を組立て施工する防護柵施工方法及び防護柵部材に関するものである。
【０００２】
【従来の技術及び発明が解決しようとする課題】
瓦屋根の吹付け塗装の際に発生する噴霧状の塗料は、飛散して近辺の建物や車、及び干し物等に付着する。そのために、従来建物の周囲に地面より鉄パイプ等で構築物を組立てて屋根の周りを囲むように飛散防止用の防護ネットを張設して施工するやり方が一般的に行われている。
【０００３】
しかしながら、建物の周りに地面より鉄パイプ等で構築物を組立て施工するやり方は、大掛りであり、組立や解体に多くの手間を要することから、施工期間の短縮及び施工費用の低減が図れないといった問題点や建物の周りに構築物を組立て施工するためのスペースを要するといった問題点がある。
【０００４】
又、瓦葺設工事などの屋根工事を行うにおいて、作業者の転落防止及び材料や道具等の落下防止を目的として屋根に施工される屋根工事用の防護柵は各種開発され、開示されているが、落下防止に耐え得る安定性をもたせることから、一般的に屋根面への設置面が広く塞がれて据え付けられるようになっているため、瓦屋根面への塗装の防護柵としては適用し難い問題点を有している。
【０００５】
本発明は、上記問題点に鑑みてなされたものであり、その目的とするところ（課題）は、建物の周りに鉄パイプ等で構築物を組立て施工することなく瓦屋根の周囲に安定した防護柵を組立て施工し得る有効な瓦屋根塗装の防護柵施工方法及び防護柵部材を提供しようとするものである。
【０００６】
【課題を解決するための手段】
上記目的を達成するため、本発明は以下に記載するような手段を講じてなる瓦屋根塗装の防護柵施工方法及び防護柵部材とした。
すなわち、
（１）瓦屋根の軒と軒脇の端部の瓦上に、下端部にＬ字状の支持プレートを取付けた支柱を略鉛直に並設して支柱と支柱の上端部を連結棒で連結し、該連結棒に飛散防止用の防護ネットを吊掛けて、瓦屋根の周囲を包囲するように防護柵を組立て施工することを特徴とする瓦屋根塗装の防護柵施工方法である。
（２）支柱の下端部に短冊状の板材をＬ字状に曲げた支持プレートを取り付け、該Ｌ字状に曲げた支持プレートの先端部を、軒と軒脇の端部の瓦と隣接する瓦との接合間に挿入係止させて組立て施工することを特徴とする前項（１）記載の瓦屋根塗装の防護柵施工方法である。
（３）支柱の下端部の支持プレート取付部にフックを取付けて、該フックを軒と軒脇の端部の瓦縁部に引掛けて組立て施工することを特徴とする前項（１）又は前項（２）記載の瓦屋根塗装の防護柵施工方法である。
【０００７】
（４）上端部に連結棒を連結するための継手を設けた支柱の下端部に、短冊状の板材をＬ字状に曲げた支持プレートを取付け、該支持プレートの先端部が瓦と瓦の接合間に挿入係止されるように形成されてなることを特徴とする瓦屋根塗装の防護柵部材である。
（５）Ｌ字状に曲げた支持プレートの支柱取付部が、屋根勾配の傾斜に応じて形成され、支柱が瓦屋根上に略鉛直に支持されるように取付けられてなることを特徴とする前項（４）記載の瓦屋根塗装の防護柵部材である。
（６）支持プレートに直角にクロスさせて、瓦と瓦の接合間に挿入係止させる係止プレートが付着されてなることを特徴とする前項（４）又は（５）記載の瓦屋根塗装の防護柵部材である。
（７）支持プレート又は係止プレートに補強部材が付着されてなることを特徴とする前項（４）乃至（６）のいずれか１項に記載の瓦屋根塗装の防護柵部材である。
（８）支柱の下端部の支持プレート取付部に、軒と軒脇の端部の瓦縁部に引掛けるためのフックが付設されてなることを特徴とする前項（４）乃至（７）のいずれか１項に記載の瓦屋根塗装の防護柵部材である。
【０００８】
そして、瓦屋根の軒と軒脇の端部の瓦上に、瓦屋根の周囲を包囲するように防護柵を組立て施工する手段を講ずることにより、地面より鉄パイプ等で構築物を組立て施工する必要がなくなり、従ってシンプルにできて組立や解体に要する時間が短縮されると共に、建物の周りに構築物を組立てるためのスペースがなくても組立て施工が可能となる。
【０００９】
又、防護柵部材は、支柱の下端部に短冊状の板材をＬ字状に曲げた支持プレートが取付けられ、支持プレートの先端部は瓦屋根の軒と軒脇の端部の瓦と隣接する瓦との接合間に挿入係止されて支柱が略鉛直に保持されるようにした手段により、更に支柱の下端部の支持プレート取付部に引掛金具が付設されて軒と軒脇の端部の瓦縁部に引掛ける手段により、瓦屋根の軒と軒脇の端部の瓦面に安定して施工することが可能であると共に、防護ネットが鉛直に張設されて瓦屋根の周囲がガードされ、外部への塗料の飛散が有効に阻止される。
【００１０】
【発明の実施の形態】
本発明の実施の形態を、実施例を示す図面に基づいて説明すると、本発明は、図１に示すように瓦屋根Ｒの軒Ｌと軒脇Ｍ，Ｎの瓦１１，１１ａ，１１ｂ，・・・上に、下端部にＬ字状の支持プレート１，１Ａ，１Ｂ，・・・を取付けた支柱２，２，２，・・・が略鉛直に並設され、支柱２，２，２，・・・の上端部を連結棒３，３，３，・・・で連結し、該連結棒に飛散防止用の防護ネット４を吊掛けて、瓦屋根Ｒの周囲が包囲されるように防護柵が組立て施工されている。
【００１１】
支柱２，２，２，・・・の下端部に取付けられた支持プレート１，１Ａ，１Ｂ，・・・は、短冊状の板材をＬ字状に曲げて形成されており、その先端部は、軒の軒脇の端部の瓦と隣接する瓦との接合間１２，１２ａ，・・・に挿入係止させて組立て施工されており、傾斜した屋根の瓦上に支柱が略鉛直に安定して保持されるようにしてある。
【００１２】
又、支柱２，２，２，・・・の下端部の支持プレート１，１Ａ，１Ｂ，・・・の取付部にはフック５，５，５，・・・が取付けられており、該フックは軒と軒脇の瓦１１、１１ａ，１１ｂ，・・・の縁部に引掛けて組立て施工されており、風に煽られたりした場合など考慮して支柱を補強している。
【００１３】
次に、以上のように組立て施工してなる防護柵部材について、図３〜図６にて説明すると、図２に示す防護柵部材は軒の端部の瓦上に組立て施工されるものであり、支柱２の上端部に連結棒で連結するための継手６が取付け固定され、下端部に短冊状の板材をＬ字状に曲げた支持プレート１が取付けられており、支持プレート１の先端部は、軒の端部の瓦と隣接する瓦との接合間に挿入係止させるため上方へ折曲げた係止部１ａが形成されている。継手６はコ字状に曲げて角パイプ製の連結棒の端部を嵌入させ、側面に穿設された穴６ａ，６ａ，・・・にピンを差込むことにより連結するようにしてあるが、着脱容易に連結棒を連結するようにすればこれに限定されるものではない。
【００１４】
前記支持プレート１のＬ字状の曲げ角度Ｔは、支柱１が傾斜した瓦屋根上に略鉛直に取付け保持されるようにするため、屋根勾配に応じて直角より小さい鋭角に折曲げて形成されている。例えば屋根勾配が２５度の角度の傾斜であれば６５度の鋭角のＬ字状に形成すると良い。
【００１５】
又、支持プレート１は薄板材の場合、補強部材１ｂ，１ｃが付着されて補強されており、瓦面上に安定して載置すべく、支持プレート１の曲げ部両サイドに耳部１ｄ，１ｄが設けてあり、支柱２の下端部の支持プレート取付部にはフック５を付設して、軒の端部の瓦縁部に引掛けるようにしてある。
【００１６】
図３に示す防護柵部材は軒脇の端部の瓦上に組立て施工されるものであり、支柱２の上端部に連結棒で連結するための継手６が取付け固定され、下端部に短冊状の板材をＬ字状に曲げた支持プレート１Ａ，１Ｂが取付けられており、該支持プレート１Ａ，１Ｂは左側の軒脇と右側の軒脇に設置するのでは先端部が、例えば重ね合わせた瓦の上からその接合間に挿入係止させる場合は、係止部１ｅのように形成し、重ね合わせた瓦の下からその接合間に挿入係止させる場合は係止部１ｆのように形成してあり、係止部１ｅを使用する時は係止部１ｆは取付けないで、係止部１ｆを使用する場合は、係止部１ｅのフックは形成しないことで対応できる。
【００１７】
前記支持プレート１Ａ，１ＢのＬ字状の曲げ角度は略直角に曲げられており、軒脇の瓦上に支柱１が鉛直に取付け保持されるためには角度Ｓが屋根勾配に応じて直角より小さい鋭角に形成される必要があるが、該角度Ｓは直角であっても防護柵を傾斜した屋根瓦上に鉛直に組立て施工は可能である。
【００１８】
又、支持プレート１Ａ，１Ｂには、軒側からの係止プレート７をクロスさせてスポット溶接等で付着してあり、該係止プレートの先端部は図２に示す支持プレート１の先端部と同様の係止部７ａが形成され、支持プレート１Ａ，１Ｂ及び係止プレート７が薄板材の場合、補強部材１ｂ，１ｃをスポット溶接等で付着させて補強すると良い。支柱２の下端部の支持プレート取付部にはフック５が付設され、軒脇の端部の瓦縁部に引掛けられるようにしてある。
なお、軒脇の左側と右側とでは支柱２の下端部の支持プレート１Ａ，１Ｂが左右対称にして取付けられた防護柵部材となる。
【００１９】
図４は、図２に示す防護柵部材の側断面図であり、角パイプ製の支柱２の下端部に、Ｌ字状の支持プレート１が、ボルト８及びフック５の螺子部５ａを通して蝶ナット９，９とナット９ａの締付けに着脱容易に取付けられており、フック５を必要としない場合は図５の（ａ）に示すようにボルト８，８を通して蝶ナット９，９の締付けにより着脱容易に取付けられている。
【００２０】
前記蝶ナット９，９の締付けにより着脱容易に取付けるにおいては、支持プレート１と支柱２の間にナット９ａ，９ａを螺合させてあるが、これは支持プレート１と支柱２とを分離した時に、ボルト８，８が支柱２より離脱して紛失しないようにするためのもので不可欠のものではない。
【００２１】
又、支柱２の下端部に取付けるＬ字状の支持プレート１に、図５の（ｂ）に示すように支柱２を差込むガイドブラケット１０を設けて蝶ねじ９ｂ，９ｂで締付けるようにすれば、支持プレート１と支柱２の着脱が容易且つ迅速に行える。
【００２２】
以上のようにしてなる防護柵部材を瓦屋根の軒と軒脇の端部の瓦に組立て施工した状態を図６，図７に示す。図６は図２に示す防護柵部材の支持プレート１が、軒の端部の瓦１１の上面に載置され、支持プレート１の先端部が前記瓦１１と縦に隣接する瓦との接合間１２に挿入されて、係止部１ａが縦に隣接する瓦の下縁部に係止されている。
【００２３】
Ｌ字状に曲げられた支持プレート１は、直角より屋根勾配に応じた鋭角に曲げ形成されて支柱２の下端部に取付けられていることから、支柱２は略鉛直に保持されており、上端部の継手６には角パイプ製の連結棒３の一端が嵌入され、ピン１３を差込むことにより支柱２の上端部は連結棒３で連結されている。
又、支柱２の下端部の支持プレート取付部に付設されたフック５が軒の端部の瓦１１の下縁部に引掛けられた状態となっている。
【００２４】
図７は図３に示す防護柵部材の支持プレート１Ａ又は１Ｂが、左右の軒脇の端部の瓦１１ａ又は１１ｂの上面に載置され、該支持プレートに直角にクロスさせて付着させた係止プレート７の先端部が前記瓦１１ａ又は１１ｂと縦に隣接する瓦との接合間１２に挿入されて係止部７ａが縦に隣接する瓦の下縁部に係止されており、支持プレート１Ａ又は１Ｂの先端部の係止部１ｅ又は１ｆは前記図１に示す如く横に隣接する瓦との接合間１２ａに挿入して係止するようにしてあり、左と右の軒脇の端部の瓦とでは接合間１２ａに挿入係止させる形態が異なっている。又軒脇の左と右とでは支柱２の下端部の支持プレート１Ａ，１Ｂは左右対称にして取付けられている。
【００２５】
Ｌ字状に曲げられた支持プレート１Ａ，１Ｂの曲げ角度は軒脇の場合は直角であるが、支柱２が略鉛直に保持されるためには屋根勾配に応じて支持プレート１Ａ，１Ｂの支柱取付部を屋根の棟側に倒して形成することにより可能となる。或いは軒脇の場合は支持プレート１Ａ，１Ｂの支柱取付部を屋根の軒側に倒さないで直角で形成しても二点鎖点で図示する如く組立て施工することができ、略鉛直に防護柵を組立て施工することは可能である。
支柱２の上端部の継手６には連結棒３の一端が嵌入され、ピン１３を差し込むことにより支柱２の上端部は連結棒３で連結されている。
又、支柱２の下端部の支持プレート取付部に付設されたフック５が軒脇の端部の瓦１１ａ，１１ｂの横縁部に引掛けられている。
【００２６】
【発明の効果】
以上記述した如く、瓦屋根の軒と軒脇の端部の瓦上に、下端部にＬ字状の支持プレートを取付けた支柱を略鉛直に並設して支柱と支柱の上端部を連結棒で連結し、該連結棒に飛散防止用の防護ネットを吊掛けて、瓦屋根の周囲を包囲するように防護柵を組立て施工する本発明によれば、建物の周囲の地面より構築物を組立て施工する必要がなく、組立や解体に手間を要せず施工期間が短縮され、施工費用の低減が図られるほか、建物の周りにスペースがなくても組立て施工ができると共に瓦面への塗装による塗料の飛散を有効に阻止できる。
【００２７】
又、防護柵を組立て施工する防護柵部材は、上端部に連結棒を連結するための継手を設けた支柱の下端部に、短冊状の板材をＬ字状に曲げた支持プレートを取付け、該支持プレートの先端部が瓦と瓦の接合間に挿入係止されると共に、支柱の下端部の支持プレート取付部に、軒と軒脇の端部の瓦縁部に引掛けるためのフックを付設してあるから、軒と軒脇の端部の瓦上に鉛直に安定して防護柵を組立てることができる。
【００２８】
更に防護柵部材は、個々に組立や解体が容易にできるように配慮されており、組立や解体が迅速にできると共に運搬や保管に便利であり、且つシンプルで安価に製作できる。
【図面の簡単な説明】
【図１】本発明に係る防護柵組立て施工の実施例を示す斜視図である。
【図２】本発明に係る防護柵部材の実施例を示す斜視図である。
【図３】本発明に係る防護柵部材の実施例を示す斜視図である。
【図４】図２に示す防護柵部材の側断面図である。
【図５】支柱と支持プレートの取付け例を示す図面で、（Ａ）は要部側断面図、（Ｂ）は要部斜視図である。
【図６】軒の端部の瓦上への組立て施工例を示す要部側断面図である。
【図７】軒脇の端部の瓦上への組立て施工例を示す要部側断面図である。
【符号の説明】
Ｒ  瓦屋根
Ｌ  軒
Ｍ，Ｎ  軒脇
１，１Ａ，１Ｂ  支持プレート
１ａ，１ｅ，１ｆ，７ａ  係止部
１ｂ，１ｃ  補強部材
１ｄ  耳部
２  支柱
３  連結棒
４  防護ネット
５  フック
５ａ  螺子部
６  継手
６ａ  穴
７  係止プレート
８  ボルト
９  蝶ナット
９ａ  ナット
９ｂ  蝶ねじ
１０  ガイドブラケット
１１，１１ａ，１１ｂ  瓦
１２，１２ａ  接合間
【図１】
2004218351.tif 000003
【図２】
2004218351.tif 000004
【図３】
2004218351.tif 000005
【図４】
2004218351.tif 000006
【図５】
2004218351.tif 000007
【図６】
2004218351.tif 000008
【図７】
2004218351.tif 000009